(57)【要約】  本発明はタイムスロット指示方法、端末装置、ネットワーク装置及びコンピュータ記憶媒体を開示し、方法は、ネットワーク側が送信した第1の制御情報からN個の構造指示情報を取得し、Nは1以上の整数であることと、前記第1の制御情報におけるN個の構造指示情報に対応するN個のタイムスロットを確定し、前記N個のタイムスロットにおいて少なくとも一部のタイムスロットは連続しなく、且つ前記N個のタイムスロットはアップリンク・ダウンリンク割当てが変更可能なタイムスロットであることと、前記N個の構造指示情報に基づいて、前記N個のタイムスロットに対応する構造を確定することと、を含む。
2021511687.tif 000002
【特許請求の範囲】
【請求項１】
端末装置に適用されるタイムスロット指示方法であって、
ネットワーク側が送信した第1の制御情報からN個の構造指示情報を取得し、Nは1以上の整数であることと、
前記第1の制御情報におけるN個の構造指示情報に対応するN個のタイムスロットを確定し、前記N個のタイムスロットにおいて少なくとも一部のタイムスロットは連続しないことと、
前記N個の構造指示情報に基づいて、前記N個のタイムスロットに対応する構造を確定することと、を含む前記タイムスロット指示方法。
【請求項２】
前記N個の構造指示情報に対応するN個のタイムスロットは、少なくとも一部の構造が変更可能なタイムスロットである、請求項1に記載の方法。
【請求項３】
前記構造指示情報は、
ダウンリンク部分のサイズ及び/又は位置、アップリンク部分のサイズ及び/又は位置、保留部分のサイズ及び/又は位置、未確定部分のサイズ及び/又は位置、のうちの少なくとも1つを含む請求項1に記載の方法。
【請求項４】
前記ネットワーク側が送信した第1の制御情報からN個の構造指示情報を取得する前に、前記方法は更に、
第2の制御情報又はネットワーク側が送信した第1の設定情報から、第1のビットマップを取得することを含み、
前記第1のビットマップにはM個のビットが含まれ、且つ各ビットは、その対応のタイムスロットの少なくとも一部の構造が前記第1の制御情報における構造指示情報により確定されるかどうかを指示することに用いられ、MはN以上の整数である請求項1に記載の方法。
【請求項５】
前記ネットワーク側が送信した制御情報からN個の構造指示情報を取得する前に、前記方法は更に、
ネットワーク側が送信した第2の設定情報又は予め定義された設定に基づいて、少なくとも1つの第1のタイプのタイムスロットを確定し、前記第1のタイプのタイムスロットは、制御情報に基づいてその少なくとも一部の構造を確定可能なタイムスロットであることを含み、
前記制御情報におけるN個の構造指示情報に対応するN個のタイムスロットを確定することは、
前記制御情報におけるN個の構造指示情報はN個の第1のタイプのタイムスロットに対応することを含む請求項1に記載の方法。
【請求項６】
前記第1のタイプのタイムスロットは未確定部分を含むタイムスロットである、請求項5に記載の方法。
【請求項７】
前記第1の制御情報はダウンリンク制御情報DCIである、請求項1〜6のいずれか1項に記載の方法。
【請求項８】
前記第2の制御情報はダウンリンク制御情報DCIであり、
前記第1の設定情報及び第2の設定情報は、無線リソース制御RRC設定情報又はシステム情報である、請求項3〜6のいずれか1項に記載の方法。
【請求項９】
ネットワーク装置に適用されるタイムスロット指示方法であって、
N個の構造指示情報を含む第1の制御情報を端末装置に送信することを含み、
前記N個の構造指示情報は前記端末装置のN個のタイムスロットに対応し、前記N個のタイムスロットにおいて少なくとも一部のタイムスロットは連続しない、前記タイムスロット指示方法。
【請求項１０】
前記N個の構造指示情報に対応するN個のタイムスロットは、少なくとも一部の構造が変更可能なタイムスロットである、請求項9に記載の方法。
【請求項１１】
前記構造指示情報は、
ダウンリンク部分のサイズ及び/又は位置、アップリンク部分のサイズ及び/又は位置、保留部分のサイズ及び/又は位置、未確定部分のサイズ及び/又は位置、のうちの少なくとも1つを含む請求項9に記載の方法。
【請求項１２】
N個の構造指示情報を含む第1の制御情報を端末装置に送信する前に、前記方法は更に、
第2の制御情報により、又は、第1の設定情報により、前記端末装置に第1のビットマップを送信することを含み、
前記第1のビットマップにはM個のビットが含まれ、且つ各ビットは、その対応のタイムスロットの少なくとも一部の構造が前記第1の制御情報における構造指示情報により確定されるかどうかを指示することに用いられ、MはN以上の整数である、請求項9に記載の方法。
【請求項１３】
N個の構造指示情報を含む第1の制御情報を端末装置に送信する前に、前記方法は更に、
前記端末装置に第2の設定情報を送信し、前記第2の設定情報は前記端末装置が少なくとも1つの第1のタイプのタイムスロットを確定することに用いられ、前記第1のタイプのタイムスロットは、制御情報に基づいてその少なくとも一部の構造を確定可能なタイムスロットであることを含む、請求項9に記載の方法。
【請求項１４】
前記第1のタイプのタイムスロットは未確定部分を含むタイムスロットである、請求項13に記載の方法。
【請求項１５】
前記第1の制御情報はダウンリンク制御情報DCIである、請求項9〜13のいずれか1項に記載の方法。
【請求項１６】
前記第2の制御情報はダウンリンク制御情報DCIであり、
前記第1の設定情報及び第2の設定情報は、無線リソース制御RRC設定情報又はシステム情報である、請求項12又は13に記載の方法。
【請求項１７】
ネットワーク側が送信した第1の制御情報からN個の構造指示情報を取得し、Nは1以上の整数である、第1の通信ユニットと、
前記第1の制御情報におけるN個の構造指示情報に対応するN個のタイムスロットを確定し、前記N個のタイムスロットにおいて少なくとも一部のタイムスロットは連続しなく、前記N個の構造指示情報に基づいて、前記N個のタイムスロットに対応する構造を確定する、第1の処理ユニットと、を備える端末装置。
【請求項１８】
前記N個の構造指示情報に対応するN個のタイムスロットは、少なくとも一部の構造が変更可能なタイムスロットである、請求項17に記載の端末装置。
【請求項１９】
前記構造指示情報は、
ダウンリンク部分のサイズ及び/又は位置、アップリンク部分のサイズ及び/又は位置、保留部分のサイズ及び/又は位置、未確定部分のサイズ及び/又は位置、のうちの少なくとも1つを含む請求項18に記載の端末装置。
【請求項２０】
前記第1の処理ユニットは、第2の制御情報又はネットワーク側が送信した第1の設定情報から、第1のビットマップを取得し、
前記第1のビットマップにはM個のビットが含まれ、且つ各ビットは、その対応のタイムスロットの構造が前記第1の制御情報における構造指示情報により確定されるかどうかを指示することに用いられ、MはN以上の整数である、請求項18に記載の端末装置。
【請求項２１】
前記第1の処理ユニットは、ネットワーク側が送信した第2の設定情報又は予め定義された設定に基づいて、少なくとも1つの第1のタイプのタイムスロットを確定し、前記第1のタイプのタイムスロットは、制御情報に基づいて対応の構造を確定可能なタイムスロットであり、前記制御情報におけるN個の構造指示情報はN個の第1のタイプのタイムスロットに対応する、請求項17に記載の端末装置。
【請求項２２】
前記第1のタイプのタイムスロットは未確定部分を含むタイムスロットである、請求項21に記載の端末装置。
【請求項２３】
前記第1の制御情報はダウンリンク制御情報DCIである、請求項17〜22のいずれか1項に記載の端末装置。
【請求項２４】
前記第2の制御情報はダウンリンク制御情報DCIであり、
前記第1の設定情報及び第2の設定情報は、無線リソース制御RRC設定情報又はシステム情報である、請求項20〜22のいずれか1項に記載の端末装置。
【請求項２５】
N個の構造指示情報を含む第1の制御情報を端末装置に送信する第2の通信ユニットを備え、
前記N個の構造指示情報は前記端末装置のN個のタイムスロットに対応し、前記N個のタイムスロットにおいて少なくとも一部のタイムスロットは連続しない、ネットワーク装置。
【請求項２６】
前記N個の構造指示情報に対応するN個のタイムスロットは、少なくとも一部の構造が変更可能なタイムスロットである、請求項25に記載のネットワーク装置。
【請求項２７】
前記構造指示情報は、
ダウンリンク部分のサイズ及び/又は位置、アップリンク部分のサイズ及び/又は位置、保留部分のサイズ及び/又は位置、未確定部分のサイズ及び/又は位置、のうちの少なくとも1つを含む請求項25に記載のネットワーク装置。
【請求項２８】
前記ネットワーク装置は更に、
第1のビットマップを確定する第2の処理ユニットを備え、
前記第2の処理ユニットは第2の制御情報により、又は、第1の設定情報により、前記端末装置に第1のビットマップを送信し、
前記第1のビットマップにはM個のビットが含まれ、且つ各ビットは、その対応のタイムスロットの構造が前記第1の制御情報における構造指示情報により確定されるかどうかを指示することに用いられ、MはN以上の整数である、請求項25に記載のネットワーク装置。
【請求項２９】
前記第2の通信ユニットは前記端末装置に第2の設定情報を送信し、前記第2の設定情報は前記端末装置が少なくとも1つの第1のタイプのタイムスロットを確定することに用いられ、前記第1のタイプのタイムスロットは、制御情報に基づいて対応の構造を確定可能なタイムスロットである、請求項25に記載のネットワーク装置。
【請求項３０】
前記第1のタイプのタイムスロットは未確定部分を含むタイムスロットである、請求項29に記載のネットワーク装置。
【請求項３１】
前記第1の制御情報はダウンリンク制御情報DCIである、請求項25〜29のいずれか1項に記載のネットワーク装置。
【請求項３２】
前記第2の制御情報はダウンリンク制御情報DCIであり、
前記第1の設定情報及び第2の設定情報は、無線リソース制御RRC設定情報又はシステム情報である、請求項28又は29に記載のネットワーク装置。
【請求項３３】
プロセッサと、前記プロセッサで実行可能なコンピュータプログラムを記憶するためのメモリと、を備え、
前記プロセッサは前記コンピュータプログラムを実行することに用いられる場合、請求項1〜8のいずれか1項に記載の方法のステップを実行する、端末装置。
【請求項３４】
プロセッサと、前記プロセッサで実行可能なコンピュータプログラムを記憶するためのメモリと、を備え、
前記プロセッサは前記コンピュータプログラムを実行することに用いられる場合、請求項9〜16のいずれか1項に記載の方法のステップを実行する、ネットワーク装置。
【請求項３５】
コンピュータ実行可能な指令が記憶され、前記コンピュータ実行可能な指令は実行される場合、請求項1〜16のいずれか1項に記載の方法のステップを実現する、コンピュータ記憶媒体。
【発明の詳細な説明】
【技術分野】
【０００１】
本発明は通信処理技術分野に関し、特にタイムスロット指示方法、端末装置、ネットワーク装置及びコンピュータ記憶媒体に関する。
【背景技術】
【０００２】
LTEシステムは静的なフレーム構造を採用し、一定の周期内(例えば、10ms、5ms)で、どのサブフレームがアップリンクサブフレーム、ダウンリンクサブフレーム、スペシャルサブフレームであるかは一定である。5G  NRシステムはスロットフォーマットインジケータ（Slot  Format  Indicator、SFI）を導入してタイムスロットフォーマットを指示し、1つのタイムスロット内で、どのシンボルがダウンリンクシンボルであるか、どのシンボルがアップリンクシンボルであるか、どのシンボルがリソース保留（reserved）シンボルであるか、どのシンボルが未確定（unknown）シンボルであるかを指示することができる。SFIはRRCシグナリングにより半静的に設定することができ、PDCCHにより動的に指示することができる。1つのPDCCHは、N個の連続するタイムスロットのSFI  （例えばN=1、2、5、10、20等）を一度に指示することができ、各タイムスロットのSFIはN個のbit（例えばN=6）であり、2N種類のRRC設定のタイムスロットフォーマット（例えば64種類）を指示することができる。現在の技術的手段によれば、半静的なSFIにより設定されたダウンリンクシンボル、アップリンクシンボル及びreservedシンボルは動的なSFIによって用途を変換することができないが、半静的なSFIにより設定されたunknownシンボルは動的なSFIによってダウンリンクシンボル又はアップリンクシンボルに変換することができる。
【０００３】
しかし、現在の手段では、半静的なSFIと動的なSFIが連携して使用される場合、大きな制御シグナリングのオーバーヘッドが発生し、柔軟な動的なSFI指示を実現することができない。既存の手段では、動的なSFIの指示の柔軟性と効率も制限される。
【発明の概要】
【発明が解決しようとする課題】
【０００４】
上記技術課題を解決するために、本発明の実施例はタイムスロット指示方法、端末装置（UE）、ネットワーク装置及びコンピュータ記憶媒体を提供する。
【課題を解決するための手段】
【０００５】
本発明の実施例によるタイムスロット指示方法は端末装置に適用され、
ネットワーク側が送信した第1の制御情報からN個の構造指示情報を取得し、Nは1以上の整数であることと、
前記第1の制御情報におけるN個の構造指示情報に対応するN個のタイムスロットを確定し、前記N個のタイムスロットにおいて少なくとも一部のタイムスロットは連続しないことと、
前記N個の構造指示情報に基づいて、前記N個のタイムスロットに対応する構造を確定することと、を含む。
【０００６】
本発明の実施例によるタイムスロット指示方法はネットワーク装置に適用され、
N個の構造指示情報を含む第1の制御情報を端末装置に送信することを含み、
前記N個の構造指示情報は前記端末装置のN個のタイムスロットに対応し、前記N個のタイムスロットにおいて少なくとも一部のタイムスロットは連続しない。
【０００７】
本発明の実施例は端末装置を提供し、
ネットワーク側が送信した第1の制御情報からN個の構造指示情報を取得し、Nは1以上の整数である、第1の通信ユニットと、
前記第1の制御情報におけるN個の構造指示情報に対応するN個のタイムスロットを確定し、前記N個のタイムスロットにおいて少なくとも一部のタイムスロットは連続しなく、前記N個の構造指示情報に基づいて、前記N個のタイムスロットに対応する構造を確定する、第1の処理ユニットと、を備える。
【０００８】
本発明の実施例はネットワーク装置を提供し、
N個の構造指示情報を含む第1の制御情報を端末装置に送信する第2の通信ユニットを備え、
前記N個の構造指示情報は前記端末装置のN個のタイムスロットに対応し、前記N個のタイムスロットにおいて少なくとも一部のタイムスロットは連続しない。
【０００９】
本発明の実施例は端末装置を提供し、プロセッサと、プロセッサで実行可能なコンピュータプログラムを記憶するためのメモリと、を備え、
前記プロセッサは前記コンピュータプログラムを実行することに用いられる場合、上記方法のステップを実行する。
【００１０】
本発明の実施例はネットワーク装置を提供し、プロセッサと、プロセッサで実行可能なコンピュータプログラムを記憶するためのメモリと、を備え、
前記プロセッサは前記コンピュータプログラムを実行することに用いられる場合、上記方法のステップを実行する。
【００１１】
本発明の実施例はコンピュータ記憶媒体を提供し、コンピュータ実行可能な指令が記憶され、前記コンピュータ実行可能な指令は実行される場合、上記方法のステップを実現する。
【発明の効果】
【００１２】
本発明の実施例の技術的手段によれば、N個の構造指示情報を受信した場合、N個の構造指示情報を、少なくとも一部が連続しないN個のタイムスロットの構造を指示することに用いることができ、一部のタイムスロットのみに対して構造指示を行うことができるため、制御シグナリングのオーバーヘッドを大幅に低減して、アップリンク・ダウンリンクリソーススケジューリングとリソース保留の柔軟性を高めることができる。
【図面の簡単な説明】
【００１３】
【図１】図1は本発明の実施例によるタイムスロット指示方法のフロー模式図である。
【図２】図2は本発明の実施例によるタイムスロット構造の模式図である。
【図３】図3は本発明の実施例による第1のビットマップと第1の制御情報との対応の模式図である。
【図４】図4は本発明の実施例による第1のタイプのタイムスロットの指示の模式図である。
【図５】図5は本発明の実施例による端末装置の構成構造の模式図である。
【図６】図6は本発明の実施例によるネットワーク装置の構成構造の模式図である。
【図７】図7は指示方式の模式図である。
【図８】図8は他の指示方式の模式図である。
【図９】図9は本発明の実施例によるハードウェアアーキテクチャの模式図である。
【発明を実施するための形態】
【００１４】
本発明の実施例の特徴と技術内容をより詳しく理解するために、以下、図面を参照しながら、本発明の実施例の実現を詳しく説明し、添付の図面は参考と説明のためのものであり、本発明の実施例を制限するためのものではない。
【００１５】
実施例1
本発明の実施例はタイムスロット指示方法を提供し、端末装置に適用され、図1に示すように、
ネットワーク側が送信した第1の制御情報からN個の構造指示情報を取得し、Nは1以上の整数であるステップ101と、
前記第1の制御情報におけるN個の構造指示情報に対応するN個のタイムスロットを確定し、前記N個のタイムスロットにおいて少なくとも一部のタイムスロットは連続しないステップ102と、
前記N個の構造指示情報に基づいて、前記N個のタイムスロットに対応する構造を確定するステップ103と、を含む。
【００１６】
端末は、
2021511687.tif 000003
の構造指示情報を含む第1の制御情報をネットワーク装置から取得する。
【００１７】
ここで、前記構造指示情報は、ダウンリンク部分のサイズ及び/又は位置、アップリンク部分のサイズ及び/又は位置、保留部分のサイズ及び/又は位置、未確定（例えばunknown）部分のサイズ及び/又は位置、のうちの少なくとも1つを含む。
【００１８】
前記N個のタイムスロットは、その構造における少なくとも一部が変更可能なタイムスロットである。
【００１９】
例えば、図2に示すように、1つのタイムスロットxには、アップリンク部分21、ダウンリンク部分22、及び保留部分23が含まれてもよく、なお、図2は単なる例示であり、上記未確定（例えばunknown）部分は示されていないが、タイムスロット内に存在してもよい。
【００２０】
なお、各構造指示情報は1つのタイムスロットに対応する構造を指示することができ、ここで、端末は第1のマッピング関係に基づいて、前記N個のタイムスロット構造情報がどのN個のタイムスロットの構造情報であるかを確定し、前記N個のタイムスロットは連続するものであってもよく連続しないものであってもよい。
【００２１】
これまで、第1の制御情報に基づいて、N個の連続する又は連続しないタイムスロットに対応する構造を確定することができる。
【００２２】
更に、N個の連続する又は連続しないタイムスロットの確定方式は、以下の方式を含んでもよい。
【００２３】
第1の態様は、具体的に、ネットワーク側が送信した第1の制御情報からN個の構造指示情報を取得する前に、前記方法は更に、
第2の制御情報又はネットワーク側が送信した第1の設定情報から、第1のビットマップを取得することを含み、
前記第1のビットマップにはM個のビットが含まれ、且つ各ビットは、その対応のタイムスロットの構造が前記第1の制御情報における構造指示情報により確定されるかどうかを指示することに用いられ、MはN以上の整数である。
【００２４】
ここで、第2の制御情報は、ステップ101における第1の制御情報と同一の情報であってもよく、つまり、第1の制御情報及び第2の制御情報からN個の構造指示情報を取得する前に、まず第1のbitmap（ビットマップ）を抽出してもよく、もちろん、異なる情報であってもよく、つまり、第1の制御情報を受信する前に、まずネットワーク側から第2の制御情報を取得し、第2の制御情報から予め第1のビットマップを抽出して取得し、それからステップ101を実行してもよい。
【００２５】
また、ネットワーク側から送信した第1の設定情報については、RRC情報によって設定された情報であってもよく、つまり、ネットワーク側は予め、設定されたタイムスロット構造を第1の設定情報によりUEに送信し、該情報は半静的な情報であると考えられることができる。
【００２６】
第1のビットマップには、M個のビットが含まれてもよく、あるタイムスロットに対する指示値が1である場合、該タイムスロットが第1の制御情報における構造指示情報を用いてそのタイムスロット構造を確定することを示し、あるタイムスロットの指示値が0である場合、該タイムスロットが第1の制御情報における構造指示情報を用いてタイムスロット構造を確定しないことを示す。又はその逆でもよく、端末とネットワーク側はいずれも正しく認識できればよい。
【００２７】
図3に示すように、各ビットは、制御情報における構造指示情報に対応するタイムスロットを指示することに用いられてもよく、例えば、第1のビットマップには、それぞれ10個のタイムスロットを指示する10個のビット位が含まれ、1に設定する場合、該タイムスロットが第1の制御情報における構造指示情報によりタイムスロット構造を確定されることを示し、そうすれば、図の中の1、3、6、8、9番のタイムスロットは、第1の制御情報の5つの構造指示情報に対応するタイムスロットであってもよい。
【００２８】
また、どのタイムスロットがどの構造指示情報に対応するかについては、実際の状況に応じて設定してもよく、例えば、正順対応に設定してもよく、つまり、第1のビットマップにおける位置に応じて、左から右までの順が構造指示情報における同じの左から右までの順に対応するように設定し、もちろん逆順対応も可能で、ここでは網羅しない。
【００２９】
第2の態様について、ネットワーク側が送信した第2の設定情報又は予め定義された設定に基づいて、少なくとも1つの第1のタイプのタイムスロットを確定し、前記第1のタイプのタイムスロットは、制御情報に基づいて対応の構造を確定可能なタイムスロットであり、
ここで、第2の設定情報は、RRC設定情報であってもよい。予め定義された設定は、ネットワーク側が予め設定したタイムスロット構造であってもよい。
【００３０】
なお、本実施例は、第2の設定情報、又は予め定義された設定で第1のタイプのタイムスロットが指示されるかどうかだけに係り、他のタイプのタイムスロットが指示されるかどうかに係らない。
【００３１】
対応的に、前記制御情報におけるN個の構造指示情報に対応するN個のタイムスロットを確定することは、前記制御情報におけるN個の構造指示情報はN個の第1のタイプのタイムスロットに対応することを含む。前記第1のタイプのタイムスロットは未確定（例えばunknown）部分を含むタイムスロットである。
【００３２】
つまり、図4に示すように、第2の設定情報又はプリセットの設定によって、第1のタイプのタイムスロットのみをUE側に送信し、それによりUE側はネットワーク側から送信した第1のタイプのタイムスロット、及び第1の制御情報のN個の構造指示情報に基づいて対応して、これらの5つの第1のタイプのタイムスロットに対応する構造を確定してもよい。ここで、前記第1のタイプのタイムスロットは未確定（例えばunknown）部分を含むタイムスロットである。
【００３３】
具体的に、端末は前記第1の設定情報に基づいて、どのタイムスロットが第1のタイプのタイムスロットであるかを確定し、前記第1のタイプのタイムスロットは、第1のタイプの時間領域リソースを含むタイムスロットであり、前記第1のタイプの時間領域リソースは、その用途を制御情報によって指示可能な時間領域リソースであり、N個のタイムスロット構造情報をN個の連続する第1のタイプのタイムスロットにマッピングする。
【００３４】
本実施例において、前記第1の制御情報及び第2の制御情報はダウンリンク制御情報DCIである。
【００３５】
前記第1の設定情報及び第2の設定情報は、無線リソース制御RRC設定情報又はシステム情報である。
【００３６】
これから分かるように、上記手段によれば、N個の構造指示情報を受信した場合、N個の構造指示情報を、少なくとも一部が連続しないN個のタイムスロットの構造を指示することに用いることができ、一部のタイムスロットのみに対して構造指示を行うことができるため、制御シグナリングのオーバーヘッドを大幅に低減して、アップリンク・ダウンリンクリソーススケジューリングとリソース保留の柔軟性を高めることができる。
【００３７】
また、N個のタイムスロットは、SFIにおいて半静的なアップリンク・ダウンリンク割当て（semi-static  DL/UL  assignment）のみに対して設定されたタイムスロット構造の少なくとも一部が部分的に変更可能なタイムスロットであってもよく、それにより、semi-static  DL/UL  assignment設定のタイムスロット構造が変更できないタイムスロットをスキップして、構造を変更可能なタイムスロットのみに対して効果的に指示することができ、これにより、制御シグナリングのオーバーヘッドの低減を更に保証して、アップリンク・ダウンリンクリソーススケジューリングとリソース保留の柔軟性を高めることができる。
【００３８】
実施例2
本発明の実施例はタイムスロット指示方法を提供し、ネットワーク装置に適用され、
N個の構造指示情報を含む第1の制御情報を端末装置に送信することを含み、
前記N個の構造指示情報は前記端末装置のN個のタイムスロットに対応し、前記N個のタイムスロットにおいて少なくとも一部のタイムスロットは連続しない。
【００３９】
更に、前記N個のタイムスロットは、その構造における少なくとも一部が変更可能なタイムスロットである。
【００４０】
第1の制御情報には、
2021511687.tif 000004
の構造指示情報が含まれる。
【００４１】
ここで、前記構造指示情報は、ダウンリンク部分のサイズ及び/又は位置、アップリンク部分のサイズ及び/又は位置、保留部分のサイズ及び/又は位置、未確定（例えばunknown）部分のサイズ及び/又は位置、のうちの少なくとも1つを含む。
【００４２】
例えば、図2に示すように、1つのタイムスロットxには、アップリンク部分21、ダウンリンク部分22、及び保留部分23が含まれてもよく、なお、図2は単なる例示であり、上記未確定（例えばunknown）部分は示されていないが、タイムスロット内に存在してもよい。
【００４３】
なお、各構造指示情報は1つのタイムスロットに対応する構造を指示することができ、ここで、端末は第1のマッピング関係に基づいて、前記N個のタイムスロット構造情報がどのN個のタイムスロットの構造情報であるかを確定し、前記N個のタイムスロットは連続するものであってもよく連続しないものであってもよい。
【００４４】
これまで、第1の制御情報に基づいて、N個の連続する又は連続しないタイムスロットに対応する構造を確定することができる。
【００４５】
更に、N個の連続する又は連続しないタイムスロットの確定方式は、以下の方式を含んでもよい。
【００４６】
第1の態様は、具体的に、N個の構造指示情報を含む第1の制御情報を端末装置に送信する前に、前記方法は更に、
第2の制御情報により、又は、第1の設定情報により、前記端末装置に第1のビットマップを送信することを含み、
前記第1のビットマップにはM個のビットが含まれ、且つ各ビットは、その対応のタイムスロットの構造が前記第1の制御情報における構造指示情報により確定されるかどうかを指示することに用いられ、MはN以上の整数である。
【００４７】
ここで、第2の制御情報は第1の制御情報と同一の情報であってもよく、つまり、第1の制御情報及び第2の制御情報からN個の構造指示情報を取得する前に、まず第1のbitmap（ビットマップ）を抽出してもよく、もちろん、異なる情報であってもよく、つまり、第1の制御情報を送信する前に、まず第2の制御情報を送信し、それにより端末装置は第2の制御情報から予め第1のビットマップを抽出して取得することができる。
【００４８】
また、第1の設定情報については、RRC情報によって設定された情報であってもよく、つまり、ネットワーク側は予め、設定されたタイムスロット構造を第1の設定情報によりUEに送信し、該情報は半静的な情報であると考えられることができる。
【００４９】
第1のビットマップには、M個のビットが含まれてもよく、あるタイムスロットに対する指示値が1である場合、該タイムスロットが第1の制御情報における構造指示情報を用いてそのタイムスロット構造を確定することを示し、あるタイムスロットの指示値が0である場合、該タイムスロットが第1の制御情報における構造指示情報を用いてタイムスロット構造を確定しないことを示す。又はその逆でもよく、端末とネットワーク側はいずれも正しく認識できればよい。
【００５０】
図3に示すように、各ビットは、制御情報における構造指示情報に対応するタイムスロットを指示することに用いられてもよく、例えば、第1のビットマップには、それぞれ10個のタイムスロットを指示する10個のビット位が含まれ、1に設定する場合、該タイムスロットが第1の制御情報における構造指示情報によりタイムスロット構造を確定されることを示し、そうすれば、図の中の1、3、6、8、9番のタイムスロットは、第1の制御情報の5つの構造指示情報に対応するタイムスロットであってもよい。
【００５１】
また、どのタイムスロットがどの構造指示情報に対応するかについては、実際の状況に応じて設定してもよく、例えば、正順対応に設定してもよく、つまり、第1のビットマップにおける位置に応じて、左から右までの順が構造指示情報における同じの左から右までの順に対応するように設定し、もちろん逆順対応も可能で、ここでは網羅しない。
【００５２】
第2の態様について、N個の構造指示情報を含む第1の制御情報を端末装置に送信する前に、前記方法は更に、
前記端末装置に第2の設定情報を送信し、前記端末装置が少なくとも1つの第1のタイプのタイムスロットを確定することに用いられ、前記第1のタイプのタイムスロットは、制御情報に基づいて対応の構造を確定可能なタイムスロットであることを含む。
【００５３】
なお、本実施例は、第2の設定情報、又は予め定義された設定で第1のタイプのタイムスロットが指示されるかどうかだけに係り、他のタイプのタイムスロットが指示されるかどうかに係らない。
【００５４】
対応的に、前記制御情報におけるN個の構造指示情報に対応するN個のタイムスロットを確定することは、前記制御情報におけるN個の構造指示情報はN個の第1のタイプのタイムスロットに対応することを含む。前記第1のタイプのタイムスロットは未確定（例えばunknown）部分を含むタイムスロットである。
【００５５】
つまり、図4に示すように、第2の設定情報又はプリセットの設定によって、第1のタイプのタイムスロットのみをUE側に送信し、それによりUE側はネットワーク側から送信した第1のタイプのタイムスロット、及び第1の制御情報のN個の構造指示情報に基づいて対応して、これらの5つの第1のタイプのタイムスロットに対応する構造を確定してもよい。ここで、前記第1のタイプのタイムスロットは未確定（例えばunknown）部分を含むタイムスロットである。
【００５６】
本実施例において、前記第1の制御情報及び第2の制御情報はダウンリンク制御情報DCIである。
【００５７】
前記第1の設定情報及び第2の設定情報は、無線リソース制御RRC設定情報又はシステム情報である。
【００５８】
これから分かるように、上記手段によれば、N個の構造指示情報を受信した場合、N個の構造指示情報を、少なくとも一部が連続しないN個のタイムスロットの構造を指示することに用いることができ、一部のタイムスロットのみに対して構造指示を行うことができるため、制御シグナリングのオーバーヘッドを大幅に低減して、アップリンク・ダウンリンクリソーススケジューリングとリソース保留の柔軟性を高めることができる。
【００５９】
また、N個のタイムスロットは、SFIにおいて半静的なアップリンク・ダウンリンク割当て（semi-static  DL/UL  assignment）のみに対して設定されたタイムスロット構造の少なくとも一部が部分的に変更可能なタイムスロットであってもよく、それにより、semi-static  DL/UL  assignment設定のタイムスロット構造が変更できないタイムスロットをスキップして、構造を変更可能なタイムスロットのみに対して効果的に指示することができ、これにより、制御シグナリングのオーバーヘッドの低減を更に保証して、アップリンク・ダウンリンクリソーススケジューリングとリソース保留の柔軟性を高めることができる。
【００６０】
実施例3
本発明の実施例は端末装置を提供し、図5に示すように、
ネットワーク側が送信した第1の制御情報からN個の構造指示情報を取得し、Nは1以上の整数である、第1の通信ユニット51と、
前記第1の制御情報におけるN個の構造指示情報に対応するN個のタイムスロットを確定し、前記N個のタイムスロットにおいて少なくとも一部のタイムスロットは連続しなく、前記N個の構造指示情報に基づいて、前記N個のタイムスロットに対応する構造を確定する、第1の処理ユニット52と、を備える。
【００６１】
端末は、
2021511687.tif 000005
の構造指示情報を含む第1の制御情報をネットワーク装置から取得する。ここで、前記N個のタイムスロットは、その構造における少なくとも一部が変更可能なタイムスロットである。
【００６２】
ここで、前記構造指示情報は、ダウンリンク部分のサイズ及び/又は位置、アップリンク部分のサイズ及び/又は位置、保留部分のサイズ及び/又は位置、未確定（例えばunknown）部分のサイズ及び/又は位置、のうちの少なくとも1つを含む。
【００６３】
例えば、図2に示すように、1つのタイムスロットxには、アップリンク部分21、ダウンリンク部分22、及び保留部分23が含まれてもよく、なお、図2は単なる例示であり、上記未確定（例えばunknown）部分は示されていないが、タイムスロット内に存在してもよい。
【００６４】
なお、各構造指示情報は1つのタイムスロットに対応する構造を指示することができ、ここで、端末は第1のマッピング関係に基づいて、前記N個のタイムスロット構造情報がどのN個のタイムスロットの構造情報であるかを確定し、前記N個のタイムスロットは連続するものであってもよく連続しないものであってもよい。
【００６５】
これまで、第1の制御情報に基づいて、N個の連続する又は連続しないタイムスロットに対応する構造を確定することができる。
【００６６】
更に、N個の連続する又は連続しないタイムスロットの確定方式は、以下の方式を含んでもよい。
【００６７】
第1の態様は、具体的に、第1の処理ユニット52は第2の制御情報又はネットワーク側が送信した第1の設定情報から、第1のビットマップを取得し、
前記第1のビットマップにはM個のビットが含まれ、且つ各ビットは、その対応のタイムスロットの構造が前記第1の制御情報における構造指示情報により確定されるかどうかを指示することに用いられ、MはN以上の整数である。
【００６８】
ここで、第2の制御情報は第1の制御情報と同一の情報であってもよく、つまり、第1の制御情報及び第2の制御情報からN個の構造指示情報を取得する前に、まず第1のbitmap（ビットマップ）を抽出してもよく、もちろん、異なる情報であってもよく、つまり、第1の制御情報を受信する前に、まずネットワーク側から第2の制御情報を取得し、第2の制御情報から予め第1のビットマップを抽出して取得してもよい。
【００６９】
また、ネットワーク側から送信した第1の設定情報については、RRC情報によって設定された情報であってもよく、つまり、ネットワーク側は予め、設定されたタイムスロット構造を第1の設定情報によりUEに送信し、該情報は半静的な情報と考えられることができる。
【００７０】
第1のビットマップには、M個のビットが含まれてもよく、あるタイムスロットに対する指示値が1である場合、該タイムスロットが第1の制御情報における構造指示情報を用いてそのタイムスロット構造を確定することを示し、あるタイムスロットの指示値が0である場合、該タイムスロットが第1の制御情報における構造指示情報を用いてタイムスロット構造を確定しないことを示す。又はその逆でもよく、端末とネットワーク側はいずれも正しく認識できればよい。
【００７１】
図3に示すように、各ビットは、制御情報における構造指示情報に対応するタイムスロットを指示することに用いられてもよく、例えば、第1のビットマップには、それぞれ10個のタイムスロットを指示する10個のビット位が含まれ、1に設定する場合、該タイムスロットが第1の制御情報における構造指示情報によりタイムスロット構造を確定されることを示し、そうすれば、図の中の1、3、6、8、9番のタイムスロットは、第1の制御情報の5つの構造指示情報に対応するタイムスロットであってもよい。
【００７２】
また、どのタイムスロットがどの構造指示情報に対応するかについては、実際の状況に応じて設定してもよく、例えば、正順対応に設定してもよく、つまり、第1のビットマップにおける位置に応じて、左から右までの順が構造指示情報における同じの左から右までの順に対応するように設定し、もちろん逆順対応も可能で、ここでは網羅しない。
【００７３】
第2の態様について、第1の処理ユニット52はネットワーク側が送信した第2の設定情報又は予め定義された設定に基づいて、少なくとも1つの第1のタイプのタイムスロットを確定し、前記第1のタイプのタイムスロットは、制御情報に基づいて対応の構造を確定可能なタイムスロットであり、
ここで、第2の設定情報は、RRC設定情報であってもよい。予め定義された設定は、ネットワーク側が予め設定したタイムスロット構造であってもよい。
【００７４】
なお、本実施例は、第2の設定情報、又は予め定義された設定で第1のタイプのタイムスロットが指示されるかどうかだけに係り、他のタイプのタイムスロットが指示されるかどうかに係らない。
【００７５】
対応的に、前記制御情報におけるN個の構造指示情報はN個の第1のタイプのタイムスロットに対応することを含む。前記第1のタイプのタイムスロットは未確定（例えばunknown）部分を含むタイムスロットである。
【００７６】
つまり、図4に示すように、第2の設定情報又はプリセットの設定によって、第1のタイプのタイムスロットのみをUE側に送信し、それによりUE側はネットワーク側から送信した第1のタイプのタイムスロット、及び第1の制御情報のN個の構造指示情報に基づいて対応して、これらの5つの第1のタイプのタイムスロットに対応する構造を確定してもよい。ここで、前記第1のタイプのタイムスロットは未確定（例えばunknown）部分を含むタイムスロットである。
【００７７】
具体的に、端末は前記第1の設定情報に基づいて、どのタイムスロットが第1のタイプのタイムスロットであるかを確定し、前記第1のタイプのタイムスロットは、第1のタイプの時間領域リソースを含むタイムスロットであり、前記第1のタイプの時間領域リソースは、その用途を制御情報によって指示可能な時間領域リソースであり、N個のタイムスロット構造情報をN個の連続する第1のタイプのタイムスロットにマッピングする。
【００７８】
本実施例において、前記第1の制御情報及び第2の制御情報はダウンリンク制御情報DCIである。
【００７９】
前記第1の設定情報及び第2の設定情報は、無線リソース制御RRC設定情報又はシステム情報である。
【００８０】
これから分かるように、上記手段によれば、N個の構造指示情報を受信した場合、N個の構造指示情報を、少なくとも一部が連続しないN個のタイムスロットの構造を指示することに用いることができ、一部のタイムスロットのみに対して構造指示を行うことができるため、制御シグナリングのオーバーヘッドを大幅に低減して、アップリンク・ダウンリンクリソーススケジューリングとリソース保留の柔軟性を高めることができる。
【００８１】
また、N個のタイムスロットは、SFIにおいて半静的なアップリンク・ダウンリンク割当て（semi-static  DL/UL  assignment）のみに対して設定されたタイムスロット構造の少なくとも一部が部分的に変更可能なタイムスロットであってもよく、それにより、semi-static  DL/UL  assignment設定のタイムスロット構造が変更できないタイムスロットをスキップして、構造を変更可能なタイムスロットのみに対して効果的に指示することができ、これにより、制御シグナリングのオーバーヘッドの低減を更に保証して、アップリンク・ダウンリンクリソーススケジューリングとリソース保留の柔軟性を高めることができる。
【００８２】
実施例4
本発明の実施例はネットワーク装置を提供し、図6に示すように、
N個の構造指示情報を含む第1の制御情報を端末装置に送信する第2の通信ユニット61を備え、
前記N個の構造指示情報は前記端末装置のN個のタイムスロットに対応し、前記N個のタイムスロットにおいて少なくとも一部のタイムスロットは連続しない。
【００８３】
第1の制御情報には、
2021511687.tif 000006
の構造指示情報が含まれる。
【００８４】
ここで、前記N個のタイムスロットは、その構造における少なくとも一部が変更可能なタイムスロットである。
【００８５】
ここで、前記構造指示情報は、ダウンリンク部分のサイズ及び/又は位置、アップリンク部分のサイズ及び/又は位置、保留部分のサイズ及び/又は位置、未確定（例えばunknown）部分のサイズ及び/又は位置、のうちの少なくとも1つを含む。
【００８６】
例えば、図2に示すように、1つのタイムスロットxには、アップリンク部分21、ダウンリンク部分22、及び保留部分23が含まれてもよく、なお、図2は単なる例示であり、上記未確定（例えばunknown）部分は示されていないが、タイムスロット内に存在してもよい。
【００８７】
なお、各構造指示情報は1つのタイムスロットに対応する構造を指示することができ、ここで、端末は第1のマッピング関係に基づいて、前記N個のタイムスロット構造情報がどのN個のタイムスロットの構造情報であるかを確定し、前記N個のタイムスロットは連続するものであってもよく連続しないものであってもよい。
【００８８】
これまで、第1の制御情報に基づいて、N個の連続する又は連続しないタイムスロットに対応する構造を確定することができる。
【００８９】
更に、N個の連続する又は連続しないタイムスロットの確定方式は、以下の方式を含んでもよい。
【００９０】
第1の態様は、具体的に、前記ネットワーク装置は更に、
第1のビットマップを確定する第2の処理ユニット62を備え、
前記第2の処理ユニット61は第2の制御情報により、又は、第1の設定情報により、前記端末装置に第1のビットマップを送信し、
前記第1のビットマップにはM個のビットが含まれ、且つ各ビットは、その対応のタイムスロットの構造が前記第1の制御情報における構造指示情報により確定されるかどうかを指示することに用いられ、MはN以上の整数である。
【００９１】
ここで、第2の制御情報は第1の制御情報と同一の情報であってもよく、つまり、第1の制御情報及び第2の制御情報からN個の構造指示情報を取得する前に、まず第1のbitmap（ビットマップ）を抽出してもよく、もちろん、異なる情報であってもよく、つまり、第1の制御情報を送信する前に、まず第2の制御情報を送信し、それにより端末装置は第2の制御情報から予め第1のビットマップを抽出して取得することができる。
【００９２】
また、第1の設定情報については、RRC情報によって設定された情報であってもよく、つまり、ネットワーク側は予め、設定されたタイムスロット構造を第1の設定情報によりUEに送信し、該情報は半静的な情報であると考えられることができる。
【００９３】
第1のビットマップには、M個のビットが含まれてもよく、あるタイムスロットに対する指示値が1である場合、該タイムスロットが第1の制御情報における構造指示情報を用いてそのタイムスロット構造を確定することを示し、あるタイムスロットの指示値が0である場合、該タイムスロットが第1の制御情報における構造指示情報を用いてタイムスロット構造を確定しないことを示す。又はその逆でもよく、端末とネットワーク側はいずれも正しく認識できればよい。
【００９４】
図3に示すように、各ビットは、制御情報における構造指示情報に対応するタイムスロットを指示することに用いられてもよく、例えば、第1のビットマップには、それぞれ10個のタイムスロットを指示する10個のビット位が含まれ、1に設定する場合、該タイムスロットが第1の制御情報における構造指示情報によりタイムスロット構造を確定されることを示し、そうすれば、図の中の1、3、6、8、9番のタイムスロットは、第1の制御情報の5つの構造指示情報に対応するタイムスロットであってもよい。
【００９５】
また、どのタイムスロットがどの構造指示情報に対応するかについては、実際の状況に応じて設定してもよく、例えば、正順対応に設定してもよく、つまり、第1のビットマップにおける位置に応じて、左から右までの順が構造指示情報における同じの左から右までの順に対応するように設定し、もちろん逆順対応も可能で、ここでは網羅しない。
【００９６】
第2の態様について、第2の通信ユニット61は前記端末装置に第2の設定情報を送信し、前記端末装置が少なくとも1つの第1のタイプのタイムスロットを確定することに用いられ、前記第1のタイプのタイムスロットは、制御情報に基づいて対応の構造を確定可能なタイムスロットである。
【００９７】
なお、本実施例は、第2の設定情報、又は予め定義された設定で第1のタイプのタイムスロットが指示されるかどうかだけに係り、他のタイプのタイムスロットが指示されるかどうかに係らない。
【００９８】
対応的に、前記制御情報におけるN個の構造指示情報に対応するN個のタイムスロットを確定することは、前記制御情報におけるN個の構造指示情報はN個の第1のタイプのタイムスロットに対応することを含む。前記第1のタイプのタイムスロットは未確定（例えばunknown）部分を含むタイムスロットである。
【００９９】
つまり、図4に示すように、第2の設定情報又はプリセットの設定によって、第1のタイプのタイムスロットのみをUE側に送信し、それによりUE側はネットワーク側から送信した第1のタイプのタイムスロット、及び第1の制御情報のN個の構造指示情報に基づいて対応して、これらの5つの第1のタイプのタイムスロットに対応する構造を確定してもよい。ここで、前記第1のタイプのタイムスロットは未確定（例えばunknown）部分を含むタイムスロットである。
【０１００】
本実施例において、前記第1の制御情報及び第2の制御情報はダウンリンク制御情報DCIである。
【０１０１】
前記第1の設定情報及び第2の設定情報は、無線リソース制御RRC設定情報又はシステム情報である。
【０１０２】
現在、従来技術では、半静的なSFIと動的なSFIが連携して使用される場合、大きな制御シグナリングのオーバーヘッドが発生し、柔軟な動的なSFI指示を実現することができなく、動的なSFIは連続するK個のタイムスロットのSFIしか指示できなく、これらのK個のタイムスロットにおいて、一部のタイムスロットが既に半静的なSFIによって設定され、unknownシンボルを含まない可能性があり、これらのタイムスロットに対する動的なSFIシグナリングは無効で、無駄なシグナリングオーバーヘッドである。図7に示すように、基地局がPDCCHによりK=5個のタイムスロットの動的なSFIを端末に送信したが、そのうちの3つのタイムスロットが半静的なSFI設定においてunknownシンボルを含まないと仮定すると、これらの3つのタイムスロットのSFIは無効なSFIとなり、PDCCHシグナリングオーバーヘッドを無駄にしてしまう。
更に、従来技術の手段では、動的なSFIの指示の柔軟性と効率も制限される。図8に示すように、タイムスロット3はunknownシンボルを含むため、基地局はこのタイムスロットのタイムスロットフォーマットを指示することができ、即ち、K=1個のタイムスロットの動的なSFIをPDCCHにより送信する必要がある。しかし、タイムスロット3自体にダウンリンクシンボルが含まれる場合、PDCCHをベアリングすることはできない(PDCCHはダウンリンクシンボルにおいて伝送しなければならない)。このようにして、この動的なSFIは、タイムスロット3の前のあるダウンリンクシンボルを含むタイムスロットにおけるPDCCHでしかベアリングすることができず、図8において、タイムスロット3に最も近いダウンリンクシンボルを含むタイムスロットがタイムスロット1であると仮定して、この動的なSFIをベアリングすることができる。しかし、従来技術の手段では、K=1はSFIの指示したものが現在のタイムスロットのタイムスロットフォーマットであることを示すため、このようなシーンでのSFI指示をサポートすることができない。
【０１０３】
従来技術に比べて分かるように、本実施例の技術的手段によれば、N個の構造指示情報を受信した場合、N個の構造指示情報を、少なくとも一部が連続しないN個のタイムスロットの構造を指示することに用いることができ、一部のタイムスロットのみに対して構造指示を行うことができるため、制御シグナリングのオーバーヘッドを大幅に低減して、アップリンク・ダウンリンクリソーススケジューリングとリソース保留の柔軟性を高めることができる。
【０１０４】
また、N個のタイムスロットは、SFIにおいて半静的なアップリンク・ダウンリンク割当て（semi-static  DL/UL  assignment）のみに対して設定されたタイムスロット構造の少なくとも一部が部分的に変更可能なタイムスロットであってもよく、それにより、semi-static  DL/UL  assignment設定のタイムスロット構造が変更できないタイムスロットをスキップして、構造を変更可能なタイムスロットのみに対して効果的に指示することができ、これにより、制御シグナリングのオーバーヘッドの低減を更に保証して、アップリンク・ダウンリンクリソーススケジューリングとリソース保留の柔軟性を高めることができる。
【０１０５】
本発明の実施例は端末装置、又はネットワーク装置のハードウェア構成アーキテクチャを更に提供し、図9に示すように、少なくとも1つのプロセッサ91、メモリ92、少なくとも1つのネットワークインタフェース93を備える。各モジュールは、バスシステム94を介してカップリングされる。理解できるように、バスシステム94は、これらのモジュールの間の接続通信を実現することに用いられる。バスシステム94は、データバスに加えて、電源バス、制御バス及び状態信号バスも含む。但し、説明を明確にするために、図9において、様々なバスをバスシステム94と表記する。
【０１０６】
理解できるように、本発明の実施例におけるメモリ92は揮発性メモリ又は不揮発性メモリであってもよく、或いは揮発性メモリと不揮発性メモリの両方を含んでもよい。
【０１０７】
いくつかの実施形態において、メモリ92はオペレーティングシステム921とアプリケーション922という要素を記憶し、モジュール又はデータ構造、或いはそれらのサブセット、又はそれらの拡張セットを実行することができる。
【０１０８】
ここで、前記プロセッサ91は、上記実施例1又は実施例2の方法のステップを処理できるように設定されており、ここでは繰り返して説明しない。
【０１０９】
本発明の実施例はコンピュータ記憶媒体を提供し、コンピュータ実行可能な指令が記憶され、前記コンピュータ実行可能な指令は実行される場合、上記実施例1又は実施例2の方法のステップを実施する。
【０１１０】
本発明の実施例による上記装置はソフトウェア機能モジュールの形式で実現され且つ独立の製品として販売され又は使用される場合、コンピュータ読み取り可能な記憶媒体に記憶されることもできる。このような理解に基づいて、本発明の実施例の技術的手段の本質又は従来技術に対する貢献の部分はソフトウェア製品の形式で体現してもよく、該コンピュータソフトウェア製品は1つの記憶媒体に記憶され、1つのコンピュータ装置（パソコン、サーバ、又はネットワーク装置等であってもよい）が本発明の各実施例に記載の方法の全部又は一部を実行するための若干の指令を含む。前記記憶媒体は、Uディスク、移動ハードディスク、読み出し専用メモリ（ROM、Read  Only  Memory）、ディスク又は光ディスク等の各種のプログラムコードを記憶可能な媒体を含む。このように、本発明の実施例はいずれの特定形式のハードウェアとソフトウェアの組み合わせに限定されたものではない。
【０１１１】
対応的に、本発明の実施例はコンピュータ記憶媒体を更に提供し、コンピュータプログラムが記憶され、該コンピュータプログラムは本発明の実施例によるデータスケジューリング方法を実行するように設定される。
【０１１２】
例示を目的にして本発明の好ましい実施例を開示したが、当業者が各種の改善、追加及び置き換えを意識するのも可能であり、従って、本発明の範囲は上記実施例に限らない。
【図１】
2021511687.tif 000007
【図２】
2021511687.tif 000008
【図３】
2021511687.tif 000009
【図４】
2021511687.tif 000010
【図５】
2021511687.tif 000011
【図６】
2021511687.tif 000012
【図７】
2021511687.tif 000013
【図８】
2021511687.tif 000014
【図９】
2021511687.tif 000015
【手続補正書】
【提出日】令和2年10月28日(2020.10.28)
【手続補正１】
【補正対象書類名】明細書
【補正対象項目名】００９０
【補正方法】変更
【補正の内容】
【００９０】
第1の態様は、具体的に、前記ネットワーク装置は更に、
第1のビットマップを確定する第2の処理ユニット62を備え、
前記第2の処理ユニット62は第2の制御情報により、又は、第1の設定情報により、前記端末装置に第1のビットマップを送信し、
前記第1のビットマップにはM個のビットが含まれ、且つ各ビットは、その対応のタイムスロットの構造が前記第1の制御情報における構造指示情報により確定されるかどうかを指示することに用いられ、MはN以上の整数である。
【手続補正２】
【補正対象書類名】明細書
【補正対象項目名】０１１１
【補正方法】変更
【補正の内容】
【０１１１】
対応的に、本発明の実施例はコンピュータ記憶媒体を更に提供し、コンピュータプログラムが記憶され、該コンピュータプログラムは本発明の実施例によるタイムスロット指示方法を実行するように設定される。
【手続補正３】
【補正対象書類名】特許請求の範囲
【補正対象項目名】全文
【補正方法】変更
【補正の内容】
【特許請求の範囲】
【請求項１】
端末装置に適用されるタイムスロット指示方法であって、
ネットワーク側が送信した第1の制御情報からN個の構造指示情報を取得し、Nは1以上の整数であることと、
前記第1の制御情報におけるN個の構造指示情報に対応するN個のタイムスロットを確定することと、
前記N個の構造指示情報に基づいて、前記N個のタイムスロットに対応する構造を確定することと、を含む前記タイムスロット指示方法。
【請求項２】
前記N個のタイムスロットにおいて少なくとも一部のタイムスロットは連続しない請求項1に記載の方法。
【請求項３】
前記N個の構造指示情報に対応するN個のタイムスロットは、少なくとも一部の構造が変更可能なタイムスロットである、請求項1に記載の方法。
【請求項４】
前記構造指示情報は、
ダウンリンク部分のサイズ及び/又は位置、アップリンク部分のサイズ及び/又は位置、保留部分のサイズ及び/又は位置、未確定部分のサイズ及び/又は位置、のうちの少なくとも1つを含む請求項1に記載の方法。
【請求項５】
前記ネットワーク側が送信した第1の制御情報からN個の構造指示情報を取得する前に、前記方法は更に、
ネットワーク側が送信した第2の設定情報又は予め定義された設定に基づいて、少なくとも1つの第1のタイプのタイムスロットを確定し、前記第1のタイプのタイムスロットは、制御情報に基づいてその少なくとも一部の構造を確定可能なタイムスロットであることを含む請求項1に記載の方法。
【請求項６】
前記第1の制御情報におけるN個の構造指示情報に対応するN個のタイムスロットを確定することは、
前記第1の制御情報におけるN個の構造指示情報がN個の第1のタイプのタイムスロットに対応することを含む請求項1又は5に記載の方法。
【請求項７】
前記第1のタイプのタイムスロットは未確定部分を含むタイムスロットである、請求項5に記載の方法。
【請求項８】
ネットワーク装置に適用されるタイムスロット指示方法であって、
N個の構造指示情報を含む第1の制御情報を端末装置に送信することを含み、
前記N個の構造指示情報は前記端末装置のN個のタイムスロットに対応する、前記タイムスロット指示方法。
【請求項９】
前記N個のタイムスロットにおいて少なくとも一部のタイムスロットは連続しない請求項8に記載の方法。
【請求項１０】
前記N個の構造指示情報に対応するN個のタイムスロットは、少なくとも一部の構造が変更可能なタイムスロットである、請求項8に記載の方法。
【請求項１１】
前記構造指示情報は、
ダウンリンク部分のサイズ及び/又は位置、アップリンク部分のサイズ及び/又は位置、保留部分のサイズ及び/又は位置、未確定部分のサイズ及び/又は位置、のうちの少なくとも1つを含む請求項8に記載の方法。
【請求項１２】
N個の構造指示情報を含む第1の制御情報を端末装置に送信する前に、前記方法は更に、
前記端末装置に第2の設定情報を送信し、前記第2の設定情報は前記端末装置が少なくとも1つの第1のタイプのタイムスロットを確定することに用いられ、前記第1のタイプのタイムスロットは、制御情報に基づいてその少なくとも一部の構造を確定可能なタイムスロットであることを含む、請求項8に記載の方法。
【請求項１３】
前記第1のタイプのタイムスロットは未確定部分を含むタイムスロットである、請求項12に記載の方法。
【請求項１４】
ネットワーク側が送信した第1の制御情報からN個の構造指示情報を取得し、Nは1以上の整数である、第1の通信ユニットと、
前記第1の制御情報におけるN個の構造指示情報に対応するN個のタイムスロットを確定し、前記N個の構造指示情報に基づいて、前記N個のタイムスロットに対応する構造を確定する、第1の処理ユニットと、を備える端末装置。
【請求項１５】
前記N個のタイムスロットにおいて少なくとも一部のタイムスロットは連続しない請求項14に記載の端末装置。
【請求項１６】
前記N個の構造指示情報に対応するN個のタイムスロットは、少なくとも一部の構造が変更可能なタイムスロットである、請求項14に記載の端末装置。
【請求項１７】
前記構造指示情報は、
ダウンリンク部分のサイズ及び/又は位置、アップリンク部分のサイズ及び/又は位置、保留部分のサイズ及び/又は位置、未確定部分のサイズ及び/又は位置、のうちの少なくとも1つを含む請求項16に記載の端末装置。
【請求項１８】
前記第1の処理ユニットは、ネットワーク側が送信した第2の設定情報又は予め定義された設定に基づいて、少なくとも1つの第1のタイプのタイムスロットを確定し、前記第1のタイプのタイムスロットは、制御情報に基づいて対応の構造を確定可能なタイムスロットである、請求項14に記載の端末装置。
【請求項１９】
前記第1の制御情報におけるN個の構造指示情報はN個の第1のタイプのタイムスロットに対応する、請求項14又は18に記載の端末装置。
【請求項２０】
前記第1のタイプのタイムスロットは未確定部分を含むタイムスロットである、請求項18に記載の端末装置。
【請求項２１】
N個の構造指示情報を含む第1の制御情報を端末装置に送信する第2の通信ユニットを備え、
前記N個の構造指示情報は前記端末装置のN個のタイムスロットに対応する、ネットワーク装置。
【請求項２２】
前記N個のタイムスロットにおいて少なくとも一部のタイムスロットは連続しない請求項21に記載のネットワーク装置。
【請求項２３】
前記N個の構造指示情報に対応するN個のタイムスロットは、少なくとも一部の構造が変更可能なタイムスロットである、請求項21に記載のネットワーク装置。
【請求項２４】
前記構造指示情報は、
ダウンリンク部分のサイズ及び/又は位置、アップリンク部分のサイズ及び/又は位置、保留部分のサイズ及び/又は位置、未確定部分のサイズ及び/又は位置、のうちの少なくとも1つを含む請求項21に記載のネットワーク装置。
【請求項２５】
前記第2の通信ユニットは前記端末装置に第2の設定情報を送信し、前記第2の設定情報は前記端末装置が少なくとも1つの第1のタイプのタイムスロットを確定することに用いられ、前記第1のタイプのタイムスロットは、制御情報に基づいて対応の構造を確定可能なタイムスロットである、請求項21に記載のネットワーク装置。
【請求項２６】
前記第1のタイプのタイムスロットは未確定部分を含むタイムスロットである、請求項25に記載のネットワーク装置。
【国際調査報告】
2021511687.tif 000016
2021511687.tif 000017
2021511687.tif 000018
2021511687.tif 000019